(57)【要約】  紫外線照射装置８に、複数の屈曲部を有する発光管１３及び口金部１８を備え紫外線を照射する水銀灯１１と、口金部１８の温度を検出する口金温度センサ３７と、発光管１３の管面温度を検出する管面温度センサと、前記管面温度を制御するヒータと、水銀灯１１の点灯開始前において、口金温度センサ３７及び管面温度センサの検出結果に基づき、発光管１３の管面温度が口金部１８の温度より高温となるようにヒータを制御する制御部４６と、を設ける。【特許請求の範囲】
【請求項１】
複数の屈曲部を有する発光管及び口金部を備え、紫外線を照射する水銀灯と、前記口金部の温度を検出する口金部温度検出手段と、前記口金部の温度を制御する口金部温度制御手段と、前記水銀灯の点灯開始前において、前記発光管の管面温度より、口金部の温度が低温となるように前期口金部温度制御手段を制御する制御部と、を備えることを特徴とする照射装置。
【請求項２】
前記管面温度を検出する管面温度検出手段と、前記管面温度を制御する管面温度制御手段と、を備え、前記水銀灯の点灯開始前において、前記口金部温度検出手段及び前記管面温度検出手段の検出結果に基づき、前記口金部が発光管の管面温度より低温となるように前記口金部温度制御手段又は前期管面温度制御手段のいずれか一方又は両方を制御することを特徴とする請求の範囲第1項に記載の照射装置。
【請求項３】
前記制御部は、前記水銀灯の点灯開始前において、前記口金部温度検出手段の検出結果に基づき、前記口金部の温度を最冷点温度にすることを特徴とする請求の範囲第１項に記載の照射装置。
【請求項４】
前記口金部の最冷点温度は５０℃〜５５℃の範囲内における所定の値であることを特徴とする請求の範囲第３項に記載の照射装置。
【請求項５】
前記発光管の管面温度は６０℃〜１００℃の範囲内における所定の値であることを特徴とする請求の範囲第４項に記載の照射装置。
【請求項６】
複数の屈曲部を有する発光管及び口金部を備え、紫外線を照射する水銀灯と、前記発光管の管面中央部の温度を検出する管面中央部温度検出手段と、前記管面中央部の温度を制御する管面中央部温度制御手段と、前記発光管の管面端部の温度を検出する管面端部温度検出手段と、前記管面端部の温度を制御する管面端部温度制御手段と、前記管面中央部温度検出手段及び管面端部温度検出手段の検出結果に基づき、前記水銀灯の点灯開始後の所定時間において、前記管面中央部が前記管面端部より低温となるように管面中央部温度制御手段を制御することを特徴とする照射装置。
【請求項７】
記録媒体に対して光硬化性インクを吐出する記録ヘッドと、記録媒体の表面に着弾した前記インクに紫外線を照射する、請求の範囲第１項〜請求の範囲第６項の何れか一項に記載の照射装置とを備えることを特徴とするインクジェット記録装置。
【請求項８】
前記インクは一主成分としてカチオン重合性化合物を含むカチオン硬化性インクであることを特徴とする請求の範囲第７項に記載のインクジェット記録装置。
【発明の詳細な説明】
【技術分野】
【０００１】
本発明は、照射装置及びインクジェット記録装置に係り、特に、光を照射する照射装置及び光を照射することによって硬化する光硬化性インクを用いて画像の記録を行うインクジェット記録装置に関する。
【背景技術】
【０００２】
近年、グラビア印刷方式やフレキソ印刷方式などの製版を必要とする方式に比較して、簡便にかつ安価に画像を記録することができるという理由から、インクジェット記録装置が多く用いられるようになってきている。【０００３】
インクジェット記録装置を用いて商品や商品の包装に画像記録を行う分野では、商品や商品の包装に、樹脂や金属などのインク吸収性のない材料を用いることが多い。そして、このようなインク吸収性のない材料の記録媒体に対してインクを定着させるために、例えば紫外線などの光を照射することにより硬化するインクを吐出するノズルを有する記録ヘッドを備えたインクジェット記録装置が知られている（例えば、特許文献１及び特許文献２参照）。【０００４】
また、このような光硬化性インクを記録ヘッドのノズルから吐出して記録媒体に着弾させた後、この記録媒体に紫外線などの光を照射してインクを硬化させる照射装置を備えたインクジェット記録装置が知られている（例えば、特許文献３及び特許文献４参照）。このような照射装置の光源としては、紫外線を照射する低圧水銀ランプ、高圧水銀ランプなどの水銀灯が多く使用されている。【０００５】
ここで、照射装置の光源として水銀灯を用いる場合、水銀は管内の温度の低い方に集まる性質があることから、管内に温度の高い部分があると水銀が移動しにくくなる。一方、一般に水銀灯の管端部は他の部分より温度が高くなることから、管全体に水銀がいきわたり照度が安定するまで時間を要していた。【０００６】
そこで、水銀灯の立ち上がり時間を短縮するために、水銀灯の管温度を制御する種々の方法が提案されている。例えば、特許文献５には、水銀灯（蛍光灯）の軸方向に水銀灯の所定の箇所を空気冷却することによって輝度のばらつきを平均化させるための複数の空気吹出口が形成され、管端部の空気吹出流量を中央側より大きくすることができる照明装置が記載されている。また、特許文献６には、点灯開始時の水銀灯（蛍光灯）の管面温度に応じて管電流の印加電圧を制御することにより、水銀灯の管温度が所定温度に達していない場合でも即座に照明を開始することができる電子複写機が記載されている。また、特許文献７には、立ち上がり時に水銀灯の温度を所定の作動温度まで速やかに上昇させるための予熱ヒータが設けられた水銀灯の交換指示装置が記載されている。【０００７】
また、光源の管端部に装着された口金部の温度を制御する方法も提案されている。例えば、特許文献８には、光源の点灯開始時にノズルから口金に高温エアーを吹き付けて口金温度を目的の温度まで上昇させることによって、光源の放電開始に必要な電圧を下げる露光装置が記載されている。また、特許文献９には、水銀灯（蛍光灯）の電源投入時に水銀灯の電極のみ予熱して管端部の温度を上昇させることにより、管端部に留まっていた水銀を蒸発し易くし、短時間で水銀灯の光量変化、光量分布を安定させる画像読取装置及び複写機が記載されている。    【０００８】
しかし、特許文献５〜特許文献７及び特許文献９に記載の発明は、いずれも直管形の水銀灯を使用する場合の管温度の制御方法であった。また、特許文献８に記載の発明も、楕円球の管内に陽極及び陰極を設けた光源の使用を前提としたものであった。【０００９】
一方、インクジェット記録装置の紫外線照射装置としては、照射強度の確保と装置の小型化の要請から、管を連続的に折り曲げた構造の水銀灯が多く用いられている。そして、管を複数回曲げた構造の水銀灯では熱干渉によって中央部の温度が上がり、管の端部から中央部への水銀の移動を阻害することから、水銀灯の立ち上がりに時間を要するという問題が生じていた。【００１０】
したがって、管面端部又は口金部の温度を制御したとしても、管を連続的に折り曲げた構造の水銀灯を使用する場合は、管面端部又は口金温度と連続的に折り曲げた管の中央部の温度との相関関係を把握した上でその双方を制御しなければ、水銀灯全体としての立ち上がりを改善することはできない。
【特許文献１】特開２００１−３１０４５４号公報
【特許文献２】特開２００３−１４５７２５号公報
【特許文献３】特開平０６−３３３５３８号公報
【特許文献４】特開平１０−０４１０８０号公報
【特許文献５】特開平０９−０７３８１１号公報
【特許文献６】特許第２６０３６４５号公報
【特許文献７】特許第３０８１７９５号公報
【特許文献８】特開平１１−０９７３３６号公報
【特許文献９】特開２００１−１６０８８８号公報
【発明の開示】
【００１１】
本発明はこのような事情に鑑みてなされたものであり、管を複数回曲げた構造の水銀灯の立ち上がり時間を短縮することを可能とする照射装置及びインクジェット記録装置を提供することを目的とするものである。
【００１２】
上記目的を達成するための、本発明の一つの態様は、複数の屈曲部を有する発光管及び口金部を備え、紫外線を照射する水銀灯と、前記口金部の温度を検出する口金部温度検出手段と、前記口金部の温度を制御する口金部温度制御手段と、前記水銀灯の点灯開始前において、前記発光管の管面温度より、口金部の温度が低温となるように前期口金部温度  制御手段を制御する制御部と、を備えることを特徴とした照射装置にある。
【００１３】
また、別の態様は、複数の屈曲部を有する発光管及び口金部を備え、紫外線を照射する水銀灯と、前記発光管の管面中央部の温度を検出する管面中央部温度検出手段と、前記管面中央部の温度を制御する管面中央部温度制御手段と、前記発光管の管面端部の温度を検出する管面端部温度検出手段と、前記管面端部の温度を制御する管面端部温度制御手段と、前記管面中央部温度検出手段及び管面端部温度検出手段の検出結果に基づき、前記水銀灯の点灯開始後の所定時間において、前記管面中央部が前記管面端部より低温となるように管面中央部温度制御手段を制御することを特徴とする照射装置にある。
【００１４】
本発明のさらに別の態様は、記録媒体に対して光硬化性インクを吐出する記録ヘッドと、記録媒体の表面に着弾した前記インクに紫外線を照射する、上記の照射装置とを備えることを特徴とするインクジェット記録装置にある。
【図面の簡単な説明】
【００１５】
【図１】本発明の実施形態に係るインクジェット記録装置の全体構成を示す斜視図である。
【図２】本発明の実施形態に係る紫外線照射装置の構成を示す斜視図である。
【図３】本発明の実施形態に係る水銀灯の構成を示す斜視図である。
【図４】本発明の実施形態に係る反射部材及び口金部に配置されたヒータの構成を示す斜視図である。
【図５】本発明の実施形態に係る制御構成を示すブロック図である。
【図６】本発明の実施形態に係る制御シーケンスを示すタイムチャートである。
【図７】本発明の実施形態に係る口金部及び発光管の管面の温度変化を示すグラフである。
【図８】本発明の実施形態に係る水銀灯の照度変化を示すグラフである。
【符号の説明】
【００１６】
１  インクジェット記録装置
２  記録装置本体
３  支持台
４  ガイドレール
５  キャリッジ
７  記録ヘッド
８  紫外線照射装置
９  光源カバー
１１  水銀灯
１３  発光管
１４  管面端部
１５  管面中央部
１８  口金部
１９  口金ヒータ
２０  反射部材
２１  管面端部ヒータ
２２  管面中央部ヒータ
２３  管面中央部温度センサ
２４  管面端部温度センサ
２５  通気孔
２６  スライドレール
２７  送風防止板
２８  スライド機構
３０  発光管収納部
３１  管面中央部冷却ファン
３４  口金収納部
３５  口金冷却ファン
３７  口金温度センサ
４４  照度センサ
４６  制御部
【発明を実施するための最良の形態】
【００１７】
本発明の上記目的は、以下の構成によって達成される。
（１）複数の屈曲部を有する発光管及び口金部を備え、紫外線を照射する水銀灯と、前記口金部の温度を検出する口金部温度検出手段と、前記口金部の温度を制御する口金部温度制御手段と、前記水銀灯の点灯開始前において、前記発光管の管面温度より、口金部の温度が低温となるように前期口金部温度制御手段を制御する制御部と、を備えることを特徴とした照射装置。
（２）前記管面温度を検出する管面温度検出手段と、前記管面温度を制御する管面温度制御手段と、を備え、前記水銀灯の点灯開始前において、前記口金部温度検出手段及び前記管面温度検出手段の検出結果に基づき、前記口金部が発光管の管面温度より低温となるように前記口金部温度制御手段又は前期管面温度制御手段のいずれか一方又は両方を制御することを特徴とした項1に記載の照射装置。
（３）前記制御部は、前記水銀灯の点灯開始前において、前記口金部温度検出手段の検出結果に基づき、前記口金部の温度を最冷点温度にすることを特徴とする項１に記載の照射装置。
（４）前記口金部の最冷点温度は５０℃〜５５℃の範囲内における所定の値であることを特徴とする項３に記載の照射装置。
（５）前記発光管の管面温度は６０℃〜１００℃の範囲内における所定の値であることを特徴とする項４に記載の照射装置。
（６）複数の屈曲部を有する発光管及び口金部を備え、紫外線を照射する水銀灯と、前記発光管の管面中央部の温度を検出する管面中央部温度検出手段と、前記管面中央部の温度を制御する管面中央部温度制御手段と、前記発光管の管面端部の温度を検出する管面端部温度検出手段と、前記管面端部の温度を制御する管面端部温度制御手段と、前記管面中央部温度検出手段及び管面端部温度検出手段の検出結果に基づき、前記水銀灯の点灯開始後の所定時間において、前記管面中央部が前記管面端部より低温となるように管面中央部温度制御手段を制御することを特徴とする照射装置。
（７）記録媒体に対して光硬化性インクを吐出する記録ヘッドと、記録媒体の表面に着弾した前記インクに紫外線を照射する、項１〜項６の何れか一項に記載の照射装置とを備えることを特徴とするインクジェット記録装置。
（８）前記インクは一主成分としてカチオン重合性化合物を含むカチオン硬化性インクであることを特徴とする項７に記載のインクジェット記録装置。【００１８】
上記課題を解決するために項１記載の装置は、照射装置であって、複数の屈曲部を有する発光管及び口金部を備え、紫外線を照射する水銀灯と、前記口金部の温度を検出する口金部温度検出手段と、前記口金部の温度を制御する口金部温度制御手段と、前記水銀灯の点灯開始前において、前記発光管の管面温度より、口金部の温度が低温となるように前期口金部温度制御手段を制御する制御部と、を備えることを特徴とする。【００１９】
項１に記載の装置によれば、水銀灯の点灯開始前において口金部の温度を発光管の管面全体の温度より低温に維持することから、水銀灯の水銀は発光管内で比較的温度の低い口金部に移動する。そして、この状態で水銀灯の点灯を開始すると、口金部に集まっていた水銀が発光管の中央部に移動するため、水銀の移動方向は一定となる。したがって、水銀灯の立ち上がり時間は短縮される。【００２０】
項２記載の装置は、照射装置であって、前記管面温度を検出する管面温度検出手段と、前記管面温度を制御する管面温度制御手段と、を備え、前記水銀灯の点灯開始前において、前記口金部温度検出手段及び前記管面温度検出手段の検出結果に基づき、前記口金部が発光管の管面温度より低温となるように前記口金部温度制御手段又は前期管面温度制御手段のいずれか一方又は両方を制御することを特徴とした項1に記載の照射装置。【００２１】
項２に記載の装置によれば、水銀灯の点灯開始前において口金部の温度を発光管の管面全体の温度より低温に維持することから、水銀灯の水銀は発光管内で比較的温度の低い口金部に移動する。そして、この状態で水銀灯の点灯を開始すると、口金部に集まっていた水銀が発光管の中央部に移動するため、水銀の移動方向は一定となる。したがって、水銀灯の立ち上がり時間は短縮される。【００２２】
項３に記載の装置は、項１に記載の照射装置であって、前記制御部は、前記水銀灯の点灯開始前において、前記口金部温度検出手段の検出結果に基づき、前記口金部の温度を最冷点温度にすることを特徴とする。【００２３】
項３に記載の装置によれば、口金部の温度を最冷点温度として水銀灯の発光効率を最大とすることができる。【００２４】
項４に記載の装置は、項３に記載の照射装置であって、前記口金部の最冷点温度は５０℃〜５５℃の範囲内における所定の値であることを特徴とする。【００２５】
項４に記載の装置によれば、口金部の温度を最冷点温度として水銀灯の発光効率を最大とすることができる。【００２６】
項５に記載の装置は、項４に記載の照射装置であって、前記発光管の管面温度は６０℃〜１００℃の範囲内における所定の値であることを特徴とする。【００２７】
項５に記載の装置によれば、発光管の管面温度を口金部の最冷点温度より高温とすることにより、発光管内の水銀を口金部から管面に速やかに移動させることができる。【００２８】
項６に記載の装置は、照射装置であって、複数の屈曲部を有する発光管及び口金部を備え、紫外線を照射する水銀灯と、前記発光管の管面中央部の温度を検出する管面中央部温度検出手段と、前記管面中央部の温度を制御する管面中央部温度制御手段と、前記発光管の管面端部の温度を検出する管面端部温度検出手段と、前記管面端部の温度を制御する管面端部温度制御手段と、前記管面中央部温度検出手段及び管面端部温度検出手段の検出結果に基づき、前記水銀灯の点灯開始後の所定時間において、前記管面中央部が前記管面端部より低温となるように管面中央部温度制御手段を制御することを特徴とする。【００２９】
項６に記載の装置によれば、水銀灯の点灯開始後において発光管の管面中央部を管面端部より低温に維持することから、水銀は口金部から発光管の中央部に速やかに移動する。したがって、点灯開始後の水銀灯の立ち上がり時間は短縮される。【００３０】
項７に記載の装置は、インクジェット記録装置であって、記録媒体に対して光硬化性インクを吐出する記録ヘッドと、記録媒体の表面に着弾した前記インクに紫外線を照射する、項１〜項６の何れか一項に記載の照射装置とを備えることを特徴とする。【００３１】
項７に記載の装置によれば、インクジェット記録装置において項１〜項６と同様の作用を得ることができる。【００３２】
項８に記載の装置は、項７に記載のインクジェット記録装置であって、前記インクは一主成分としてカチオン重合性化合物を含むカチオン硬化性インクであることを特徴とする。【００３３】
項８に記載の装置によれば、カチオン硬化性インクを使用して項７と同様の作用を得ることができる。【００３４】
次に発明による効果について記述する。【００３５】
項１又は項２に記載の装置によれば、点灯開始後の水銀灯の立ち上がり時間は短縮される。【００３６】
項３又は項４に記載の装置によれば、口金部の温度を最冷点温度として水銀灯の発光効率を最大とすることができる。【００３７】
項５に記載の装置によれば、発光管の管面温度を口金部の最冷点温度より高温とすることにより、発光管内の水銀を口金部から管面に速やかに移動させることができる。【００３８】
項６に記載の装置によれば、点灯開始後の水銀灯の立ち上がり時間は短縮される。【００３９】
項７に記載の装置によれば、インクジェット記録装置において項１〜項６と同様の効果を得ることができる。【００４０】
項８に記載の装置によれば、カチオン硬化性インクを使用して項７と同様の効果を得ることができる。【００４１】
以下、本発明のインクジェット記録装置１の実施形態について、図面を参照して説明する。ただし、発明の範囲を図示例に限定するものではない。【００４２】
図１に示すように本実施形態に係るインクジェット記録装置１は、記録装置本体２と、記録装置本体２を支持する支持台３とを備えている。記録装置本体２の内部には棒状のガイドレール４が設けられており、このガイドレール４には、キャリッジ５が支持されている。このキャリッジ５は、キャリッジ駆動機構６（図５参照）によってガイドレール４に沿って記録媒体の幅方向である走査方向に往復移動するようになっている。なお、本実施形態のインクジェット記録装置１はシリアル方式であるが、本発明においてはライン方式であってもよい。【００４３】
キャリッジ５には、所定の色のインクを吐出する記録ヘッド７が搭載されている。記録ヘッド７は外形が略直方体形状に形成されており、長手方向が互いに平行となるように配置されている。【００４４】
記録ヘッド７の記録媒体に対向する面には、記録媒体にインクを吐出する複数のノズル（図示略）が走査方向と直行する記録媒体の搬送方向に沿って設けられている。また、キャリッジ５にはインクを貯蔵し記録ヘッド７にインクを供給する中間タンク（図示略）が備えられており、記録ヘッド７はインク供給管（図示略）を介してこの中間タンクと連通されている。【００４５】
ここで、本実施形態に係るインクは、インクに重合性化合物として活性化エネルギー線硬化性化合物を含み、重合反応を開始させる活性化エネルギーとして紫外線を使用した紫外線硬化性インクである。重合性化合物を含む紫外線硬化性インクとしては、ラジカル重合性化合物を含むラジカル硬化性インクとカチオン重合性化合物を含むカチオン硬化性インクとに大別され、どちらのインクも本実施形態に用いられるインクとして適用可能である。しかし、カチオン硬化性インクの方が酸素による重合阻害を受けることが少ない又は無いので、紫外線に対する感度が高く、また、活性種である酸が光エネルギーを蓄積する性質を有しているため、機能性・汎用性に優れている。【００４６】
キャリッジ５の記録ヘッド７の走査方向における両側部には、ノズルから記録媒体に吐出されたインクに対して紫外線を照射してインクを硬化させる紫外線照射装置８が設けられている。【００４７】
紫外線照射装置８は、図２に示すように、記録媒体に向かって開口する箱型であって、搬送方向の上流側端部が上方に向けて突出形成された光源カバー９を有している。光源カバー９の搬送方向の上流側端部には、光源カバー９の底部に図示しないヒンジ機構などを介して取り付けられた蓋部１０が設けられており、蓋部１０は、光源カバー９の底部を軸として回動することにより光源カバー９に対して開閉自在となっている。【００４８】
図３に示すように、光源カバー９の内部には、インクを硬化させる紫外線を発光する光源として水銀灯１１が収納されている。【００４９】
水銀灯１１は、搬送方向に沿って設けられ、記録ヘッド７の長手方向における長さ以上の長さ寸法となるように、所定位置において複数の屈曲部１２が形成された発光管１３を有している。本明細書では、水平方向に屈曲して形成された発光管１３の両端部から最初の屈曲部１２までの直線部分の管面をそれぞれ「管面端部１４」、それ以外の部分の管面を「管面中央部１５」として説明する。なお、水銀灯１１の発光管１３の形状は図３に示したものに限定されず、例えば、さらに多数の屈曲部１２を設けた形状としてもよい。また、光源カバー９の内部側面には、水銀灯１１が光源カバー９に収納された際に水銀灯１１の位置を規制するための規制部材１６が設けられている。【００５０】
また、発光管１３は両端部付近においてほぼ垂直方向に屈曲する屈曲部１７を有しており、発光管１３の両端部には、図４に示すように、円筒状の口金部１８が取り付けられている。口金部１８は、光源カバー９の上流側の突出形成部分に沿って上方に延在し、光の照射面に対してほぼ鉛直となるようになっている。この口金部１８は電子放射物質（エミッタ）が塗布されたフィラメント（図示略）を有し、口金部１８に通電させることにより発光管１３が発光するようになっている。【００５１】
さらに、図４に示すように、口金部１８には口金部温度制御手段としての口金ヒータ１９が配置されている。本実施形態では口金ヒータ１９としてニクロム線を使用しており、ニクロム線は、円筒形の口金部１８の円周上に螺旋状に巻かれた状態で貼り付けられている。なお、光源カバー９の内部に設けた図示しない口金固定部に口金ヒータを配置して、口金固定部からの伝導熱により口金部１８を加温する構成としてもよい。【００５２】
また、光源カバー９の内部には、図４に示すように、発光管１３から照射され拡散した紫外線を記録媒体に対して反射させる反射部材２０が発光管１３を覆うように設けられている。反射部材２０としては、例えば、全波長域に亘って紫外線を効率良く反射する高純度のアルミ製の反射板が適用される。【００５３】
また、反射部材２０の上面及び側面には、管面温度制御手段としてのヒータが配置されている。本実施形態では、ヒータとしてニクロム線を使用している。ニクロム線は搬送方向に沿って、発光管１３の長手方向の長さ寸法とほぼ等しい長さとなるように所定位置で折り返して配置されている。【００５４】
管面温度制御手段としてのヒータのうち、発光管１３の管面端部１４の上方付近に位置するヒータは管面端部温度制御手段としての管面端部ヒータ２１とされ、発光管１３の管面中央部１５の上方付近に位置するヒータは管面中央部温度制御手段としての管面中央部ヒータ２２とされている。図４に示すように、管面端部温度制御手段としての管面端部ヒータ２１のニクロム線は比較的密となるように配置され、また、管面中央部温度制御手段としての管面中央部ヒータ２２のニクロム線は比較的疎となるように配置されている。これにより、ヒータがＯＮとされた場合に、発光管１３の管面端部１４の温度より管面中央部１５の温度の方が比較的低温とされるようになっている。【００５５】
また、図４に示すように、反射部材２０の上面には、管面温度検出手段としての温度センサが配置されている。本実施形態においては、温度センサとしてサーミスタを用いている。そして、管面温度検出手段としての温度センサのうち、反射部材２０の上面の中央付近に配置された温度センサは管面中央部温度検出手段としての管面中央部温度センサ２３とされ、反射部材２０の上面の端部付近に配置された温度センサは管面端部温度検出手段としての管面端部温度センサ２４とされている。【００５６】
さらに、図４に示すように、反射部材２０の上面には４つの楕円状の通気孔２５が形成されている。また、反射部材２０の上面であって搬送方向の上流側及び下流側の両端部には、主走査方向にスライドレール２６が配置されている。スライドレール２６には送風防止板２７が支持されており、スライド機構２８によりスライドレール２６に沿って主走査方向に往復移動するようになっている。本実施形態では、スライド機構２８としてソレノイドを使用している。送風防止板２７は、４つの通気孔２５を塞ぐことのできる幅寸法及び長さ寸法として形成されており、スライドレール２６に沿って４つの通気孔２５の上方に移動することによって、４つの通気孔２５を塞ぐことができるようになっている。また、送風防止板２７には、４つの通気孔２５を塞ぐ位置に移動した際に管面中央部温度センサ２３を露出させるための切り欠き２９が形成されている。【００５７】
図２に示すように、光源カバー９の搬送方向の下流側は発光管１３が収納される発光管収納部３０となっており、発光管収納部３０の上面には、管面中央部温度制御手段として発光管１３の管面中央部１５を冷却する管面中央部冷却ファン３１が設けられている。また、発光管収納部３０の上面であって管面中央部冷却ファン３１の下方には、発光管収納部３０の内部に送風するための送風口３２が形成されている。さらに、発光管収納部３０の各側面には、発光管収納部３０の内部から排気を行うための複数の排気口３３が形成されている。【００５８】
また、光源カバー９の上流側の突出形成部分は、口金部１８が収納される口金収納部３４とされている。口金収納部３４のうち発光管収納部３０の上面と連接する一側面には、口金部温度制御手段として口金部１８を冷却する口金冷却ファン３５が設けられている。また、口金収納部３４の側面であって口金冷却ファン３５の下方には、口金冷却ファン３５の回転により口金収納部３４の内部に外気を送り込むための外気送込口３６が形成されている。また、光源カバー９の蓋部の一面には、口金収納部３４の内部から排気を行うための図示しない排気スリットが形成されている。【００５９】
また、口金収納部３４の内部であって水銀灯１１が光源カバー９に収納された際に口金部１８の近傍となる位置には、口金部温度検出手段としての口金温度センサ３７が設けられている。【００６０】
なお、図２に示すように、口金収納部３４の上面であって、光源カバー９に水銀灯１１が収納された際に口金部１８の先端付近となる位置には、口金部１８に電力を供給するため、図示しない端子を接続するための切り欠き部３８が形成されている。【００６１】
また、光源カバー９における発光管収納部３０と口金収納部３４との間には、断熱性を有し両部を仕切るための板状の本体側仕切り部材（図示略）が設けられている。また、蓋部の本体側仕切り部材に対応する位置には、断熱性を有し発光管収納部３０と口金収納部３４とを仕切るための板状の蓋側仕切り部材（図示略）が設けられている。そして、蓋部が光源カバーに対して閉じられた状態となることにより、この本体側仕切り部材と蓋側仕切り部材とが組み合わさって、発光管収納部３０と口金収納部３４との間を仕切る仕切り部材を構成するようになっている。【００６２】
なお、光源カバー９の記録媒体に対向する底部には、図３に示すように、インクミストなどの汚れが発光管１３に付着するのを防止すると共に、搬送不良などにより浮き上がった記録媒体が発光管１３に接触するのを防止するための板状の保護部材３９が取り付けられている。保護部材３９は、光源カバー９の底部内周面に沿って設けられた枠状の支持部材４０により支持されている。保護部材３９としては、例えば、紫外線波長域において特にUV-C領域（〜280nm）を効率良く透過できる普通石英ガラス、合成石英ガラスなどが好適に適用される。【００６３】
図１に戻り、キャリッジ５の移動可能範囲の一領域は、記録媒体に記録を行う記録領域とされている。この記録領域のキャリッジ５の下方には、平板状の部材で構成され記録媒体を被記録面から支持するプラテン４１が配設されている。【００６４】
プラテン４１の側方には、記録媒体を搬送方向に搬送させるための搬送機構４２（図５参照）が設けられている。搬送機構４２には、例えば図示しない搬送モータ及び搬送ローラが備えられており、搬送モータの駆動により搬送ローラを回転させることで記録媒体を搬送方向に搬送するようになっている。また、画像記録時においては、搬送機構４２がキャリッジ５の動作に合わせて記録媒体の搬送と停止とを繰り返し、記録媒体を間欠的に搬送するようになっている。【００６５】
キャリッジ５の移動範囲であって記録領域の外側一端には、記録ヘッド７の図示しない中間タンクにインクを供給するインクタンク４３が設けられている。【００６６】
また、キャリッジ５の移動範囲であって記録領域の外側他端には、紫外線照射装置８の紫外線照度を検出する照度検出手段としての照度センサ４４が配設されている。さらに、照度センサ４４の側部には、記録ヘッド７のメンテナンス作業を行うメンテナンスユニット４５が配設されている。【００６７】
次に、図５を参照して本実施形態に係る制御部４６について説明する。制御部４６は、ＣＰＵ、ＲＯＭ、ＲＡＭ（いずれも図示略）からなり、ＲＯＭに記録された処理プログラムをＲＡＭに展開してＣＰＵによりこの処理プログラムを実行するようになっている。【００６８】
制御部４６には、キャリッジ駆動機構６、搬送機構４２、記録ヘッド７、水銀灯１１、照度センサ４４、口金温度センサ３７、管面中央部温度センサ２３、管面端部温度センサ２４、口金ヒータ１９、口金冷却ファン３５、管面中央部冷却ファン３１、管面端部ヒータ２１、管面中央部ヒータ２２、メンテナンスユニット４５及びスライド機構２８が接続されており、制御部４６は、接続されている各種部材の動作状況などのステータスに基づいて、各構成部分を駆動制御するようになっている。【００６９】
制御部４６は、キャリッジ駆動機構６を制御してキャリッジ５を走査方向に往復駆動させるようになっており、画像記録時には、搬送機構４２を制御して記録媒体を走査方向と直行する方向に搬送させるようになっている。また、記録ヘッド７を制御して所定の画像記録情報に基づいて記録ヘッド７の吐出口から所要の色のインクを吐出させると、水銀灯１１を制御して記録媒体上に着弾したインクに対して紫外線を照射させるようになっている。また、制御部４６は、メンテナンスユニット４５を制御して、所定の間隔でメンテナンス動作を開始させるようになっている。【００７０】
また、制御部４６は、口金温度センサ３７、管面中央部温度センサ２３及び管面端部温度センサ２４の検出結果に基づき、以下のように口金ヒータ１９、口金冷却ファン３５、管面端部ヒータ２１、管面中央部ヒータ２２及び管面中央部冷却ファン３１を制御するようになっている。【００７１】
すなわち、制御部４６は、水銀灯１１の点灯開始前に口金ヒータ１９をＯＮにして、口金温度センサ３７の検出結果に基づき、口金温度を最冷点温度とするようになっている。ここで「最冷点温度」とは、発光管１３の内部の最低温度であり、水銀灯１１の発光効率が最大となる温度である。本実施形態では、水銀灯１１の点灯開始前において口金温度が５０℃〜５５℃の範囲内の最冷点温度で一定とされるようになっている。また、制御部４６は水銀灯１１の点灯を開始すると同時に口金ヒータ１９をＯＦＦとするようになっている。【００７２】
さらに、制御部４６は、水銀灯１１の点灯を開始すると同時に口金冷却ファン３５をＯＮとするようになっている。そして、水銀灯１１の点灯後に自己発熱する口金部１８を口金冷却ファン３５で冷却して、口金温度センサ３７の検出結果に基づき、口金部１８の温度を５０℃〜５５℃の範囲内の最冷点温度で一定に保つようになっている。【００７３】
また、制御部４６は、水銀灯１１の点灯開始前に管面中央部ヒータ２２及び管面端部ヒータ２１をＯＮにして、口金温度センサ３７、管面端部温度センサ２４及び管面中央部温度センサ２３の検出結果に基づき、管面全体の温度を口金部１８の温度より高温に維持するようになっている。本実施形態では、管面中央部ヒータ２２及び管面端部ヒータ２１により管面全体の温度が６０℃〜１００℃の範囲内で一定とされるようになっている。これにより、水銀灯１１の点灯開始前に水銀灯１１の水銀は発光管１３の内部で比較的低温の口金部１８に移動するようになっている。【００７４】
また、制御部４６は、水銀灯１１の点灯を開始すると同時に、管面端部ヒータ２１をＯＮとしたままで、管面中央部ヒータ２２をＯＦＦとして、管面中央部冷却ファン３１をＯＮとするようになっている。これにより、管面端部１４の温度より管面中央部１５の温度の方が低温となり、水銀は速やかに口金部１８から管面中央部１５に移動するようになっている。
さらに、制御部４６は、照度センサ４４の検出結果に基づいて水銀灯１１の照度が安定したと判断すると、管面端部ヒータ２１をＯＦＦとするようになっている。これにより、以後は管面端部１４の温度及び管面中央部１５の温度共に水銀灯１１の自己発熱によって緩やかに温度上昇するようになっている。ここで、水銀灯１１の自己発熱とは、水銀灯１１の発光管１３の内部に電流を流した時に発生するジュール熱による発熱である。【００７５】
また、制御部４６は、照度センサ４４の検出結果に基づいて水銀灯１１の照度が安定したと判断すると、スライド機構２８を駆動することにより、送風防止板２７を４つの通気孔２５の上方にスライドさせて通気孔２５を塞ぐようになっている。このように、管面中央部冷却ファン３１からの送風を送風防止板２７で遮って管面中央部１５の冷却を停止することによって、照度の安定後に管面中央部１５の温度が変化して発光管１３の内部の水銀が移動することを防止し、照度分布が不安定になるのを回避するようになっている。【００７６】
次に、本実施形態の作用について、図６のタイムチャートを参照して説明する。【００７７】
インクジェット記録装置１の図示しない電源がＯＮにされると、制御部４６は、図６に示すように、紫外線照射装置８の水銀灯１１の点灯開始前において口金ヒータ１９をＯＮにして、口金温度センサ３７の検出結果に基づき口金部１８の温度を最冷点温度とする。本実施形態では、口金部１８の温度は５０℃〜５５℃の範囲内の最冷点温度で一定とされる。【００７８】
また、制御部４６は、水銀灯１１の点灯開始前において、管面端部ヒータ２１及び管面中央部ヒータ２２をＯＮにする。そして、口金温度センサ３７、管面端部温度センサ２４及び管面中央部温度センサ２３の検出結果に基づき、管面全体の温度を口金部１８の温度より高温に維持する。本実施形態では、管面全体の温度は６０℃〜１００℃の範囲内で一定とされる。【００７９】
次に、制御部４６は、図６に示すように、水銀灯１１の点灯を開始すると同時に口金ヒータ１９をＯＦＦとし、口金冷却ファン３５をＯＮにする。これにより、水銀灯１１の点灯後に自己発熱する口金部１８を口金冷却ファン３５で冷却して、口金温度センサ３７の検出結果に基づき、口金部１８の温度を５０℃〜５５℃の範囲内の最冷点温度で一定に保つ。【００８０】
また、制御部４６は、水銀灯１１の点灯を開始すると同時に、管面中央部ヒータ２２をＯＦＦとして、管面中央部冷却ファン３１をＯＮとする。これによって、管面中央部１５の温度が管面端部１４の温度より低温となり、水銀は速やかに口金部１８から発光管１３の中央部に移動する。【００８１】
次に、制御部４６は、図６に示すように、照度センサ４４の検出結果に基づいて水銀灯１１の照度が安定したと判断すると、管面端部ヒータ２１をＯＦＦとする。これにより、以後は管面端部１４及び管面中央部１５共に水銀灯１１の自己発熱によって緩やかに温度上昇する。【００８２】
また、制御部４６は、照度センサ４４の検出結果に基づいて水銀灯１１の照度が安定したと判断すると、スライド機構２８を駆動することにより、送風防止板２７を４つの通気孔２５の上方にスライドさせて通気孔２５を塞ぐ。このように、管面中央部冷却ファン３１からの送風を送風防止板２７で遮って管面中央部１５の冷却を停止することにより、照度の安定後に管面中央部１５の温度が変化して発光管１３の内部の水銀が移動することを防止し、照度分布が不安定になるのを回避する。【００８３】
図７は水銀灯１１の点灯開始から照度安定に至るまでの口金部１８、管面端部１４及び管面中央部１５の温度変化を示すグラフである。【００８４】
まず、口金部１８の温度変化を示すグラフ（ａ）をみると、上述のように、水銀灯１１の点灯開始前において、口金部１８の温度は口金ヒータ１９により最冷点温度である５０℃とされる。そして、水銀灯１１の点灯後に口金部１８は自己発熱するが、水銀灯１１の点灯開始と同時に口金ヒータ１９をＯＦＦとする一方で口金冷却ファン３５をＯＮとすることにより、口金部１８の温度は最冷点温度の５０℃に保たれる。このように、口金部１８の温度は水銀灯１１の点灯開始前から照度安定に至るまで最冷点温度の５０℃に保たれる。【００８５】
次に、管面中央部１５の温度変化を示すグラフ（ｂ）をみると、水銀灯１１の点灯開始前において、管面中央部１５の温度は管面中央部ヒータ２２により１００℃とされる。すなわち、水銀灯１１の点灯開始時において、口金部１８の温度より管面中央部１５の温度の方が高温に維持される。そして、水銀灯１１の点灯開始と同時に管面中央部ヒータ２２をＯＦＦとして管面中央部１５の加熱を停止し、また、水銀灯１１の点灯開始と同時に管面中央部冷却ファン３１をＯＮとして管面中央部１５の冷却を開始すると、以後は管面中央部１５の温度が水銀灯１１の自己発熱により緩やかに上昇する。【００８６】
また、水銀灯１１の照度が安定した後は、送風防止板２７によって管面中央部冷却ファン３１からの送風を遮って管面中央部１５の冷却を停止することから、管面中央部冷却ファン３１による管面中央部１５の温度変化はなくなり、水銀灯１１の発光管１３の温度は安定する。【００８７】
また、管面端部１４の温度変化を示すグラフ（ｃ）をみると、水銀灯１１の点灯開始前は管面端部ヒータ２１により管面端部１４の温度が管面中央部１５の温度と同じ１００℃とされる。すなわち、水銀灯１１の点灯開始前において口金部１８の温度より管面端部１４の温度の方が高温に維持される。したがって、水銀灯１１の点灯開始前においては、上述した管面中央部１５を含めた管面全体の温度が、口金部１８の温度より高温に維持される。これにより、水銀灯１１の点灯開始前において水銀は発光管１３の中央部又は端部から口金部１８に移動する。【００８８】
そして、水銀灯１１の点灯開始後は、管面端部ヒータ２１による加熱及び水銀灯１１の自己発熱によって管面端部１４が温度上昇する。このように、管面端部ヒータ２１は水銀灯１１の点灯開始後もＯＮとされたままであり、また、ファンによる冷却も行われないことから、管面中央部１５の温度変化を示すグラフ（ｂ）と比較すると、管面端部１４の温度変化を示すグラフ（ｃ）は早い段階で温度上昇し、水銀灯１１の点灯開始から照度が安定する前の所定の時間において、管面中央部１５の温度変化を示すグラフ（ｂ）より高温に維持される。すなわち、水銀灯１１の点灯開始から照度が安定する前の所定の時間においては、管面中央部１５の温度より管面端部１４の温度の方が高温に維持される。これにより、水銀灯１１の点灯開始から照度が安定する前の所定の時間において水銀が口金部１８から発光管１３の中央部に移動しやすくなる。
図８は水銀灯１１の点灯開始から照度安定に至るまでの照度変化を示すグラフである。図８において、グラフ（Ａ）は口金部１８、管面端部１４又は管面中央部１５のいずれについても温度制御を行わない場合の照度変化を示している。グラフ（Ａ）に示すように、水銀灯１１の点灯を開始すると、水銀灯１１の照度は徐々に上昇して所定の時間経過後に安定する。【００８９】
また、グラフ（Ｂ）は、従来から行われているように、水銀灯１１の点灯開始前に口金ヒータ１９を制御して、口金部１８の温度を最冷点温度とした場合の照度変化を示している。しかし、点灯開始前に口金部１８を最冷点温度とした場合でも、点灯開始前において管面全体の温度制御を行わない場合は、管面全体に水銀が分布した状態となっている。そして、この状態で点灯を開始すると、水銀は点灯開始後にまず発光管１３の内部で比較的温度の低い口金部１８に移動する。これにより、点灯開始により上昇していた照度はこの時点でいったん下降する。その後、水銀は口金部１８から管面全体に向かって移動するため、照度は改めて上昇する。したがって、従来の方法では、グラフ（Ｂ）に示すように、点灯開始後に下方に突出した部分を有する曲線となる。【００９０】
一方、グラフ（Ｃ）は、本実施形態において、口金ヒータ１９を制御して水銀灯１１の点灯開始前に口金部１８を最冷点温度に維持すると共に、管面中央部ヒータ２２及び管面端部ヒータ２１を制御して水銀灯１１の点灯開始前に管面全体の温度を口金部１８の温度より高温に維持した場合の照度変化を示している。本実施形態では、点灯開始前において管面全体の温度を口金部１８の温度より高温に維持することから、発光管１３の内部の水銀は発光管１３の内部で比較的温度の低い口金部１８に移動する。そして、この状態で水銀灯１１の点灯を開始すると、口金部１８に集まっていた水銀が発光管１３の中央部に移動するため、水銀の移動方向は一定となる。したがって、グラフ（Ｃ）に示すように、グラフ（Ａ）又はグラフ（Ｂ）の場合と比較して点灯開始後の水銀灯１１の立ち上がり時間は短縮される。【００９１】
さらに、グラフ（Ｄ）は、本実施形態において、グラフ（Ｃ）の場合における水銀灯１１の点灯開始前の口金部１８及び管面全体の温度制御に加えて、管面中央部ヒータ２２及び管面中央部冷却ファン３１を制御して、水銀灯１１の点灯開始後に管面中央部１５の温度を管面端部１４の温度より低温に維持した場合の照度変化を示している。本実施形態では、点灯開始後において管面中央部１５の温度を管面端部１４の温度より低温に維持することから、水銀は口金部１８から発光管１３の中央部に速やかに移動する。したがって、グラフ（Ｄ）に示すように、グラフ（Ａ）〜グラフ（Ｃ）の場合と比較して点灯開始後の水銀灯１１の立ち上がり時間は更に短縮される。【００９２】
なお、水銀灯１１の照度が安定した後は、送風防止板２７によって管面中央部冷却ファン３１からの送風を遮って管面中央部１５の冷却を停止することから、管面中央部冷却ファン３１による管面中央部１５の温度変化はなくなって水銀灯１１の発光管１３の温度は安定し、照度分布は安定する。【００９３】
以上のように本実施形態に係るインクジェット記録装置１によれば、水銀灯１１の点灯開始前において発光管１３の管面全体の温度を口金部１８の温度より高温に維持することから、水銀灯１１の水銀は発光管１３の内部で比較的温度の低い口金部１８に移動する。そして、この状態で水銀灯１１の点灯を開始すると、口金部１８に集まっていた水銀が発光管１３の中央部に移動するため、水銀の移動方向は一定となる。したがって、水銀灯１１の立ち上がり時間は短縮される。【００９４】
また、口金部１８の温度を最冷点温度として、水銀灯１１の発光効率を最大とすると共に、発光管１３の管面温度を口金部１８の最冷点温度より高温とすることにより、発光管１３の内部の水銀を口金部１８から発光管１３の中央部に速やかに移動させることができる。【００９５】
また、水銀灯１１の点灯開始後において、発光管１３の管面中央部１５の温度を管面端部１４の温度より低温に維持することから、水銀は口金部１８から発光管１３の中央部に速やかに移動する。したがって、点灯開始後における水銀灯１１の立ち上がり時間は短縮される。【００９６】
以上詳細に説明したように本発明のインクジェット記録装置によれば、点灯開始後の水銀灯の立ち上がり時間は短縮される。【００９７】
また、口金部の温度を最冷点温度として水銀灯の発光効率を最大とすると共に、発光管１３の管面温度を口金部の最冷点温度より高温とすることにより、発光管内の水銀を口金部から管面に速やかに移動させることができる。【００９８】
なお、本実施形態においては、水銀灯１１の点灯開始前に口金部１８の温度より発光管１３の管面全体の温度を高温に維持する制御を行うと共に、水銀灯１１の点灯開始と同時に管面中央ヒータ２４をＯＦＦとして管面端部１４の温度より管面中央部１５の温度を低温とする制御を行っているが、これらのうちいずれか一方の制御を行った場合でも、本発明の効果を得ることができる。【００９９】
また、本実施形態においては、制御部４６が水銀灯１１の点灯を開始すると同時に管面中央ヒータ２４をＯＦＦとして管面中央部冷却ファン３１をＯＮとするが、この場合に、管面中央部冷却ファン３１が管面端部１４を冷却することなく、管面端部管面中央部１５のみを冷却する構成とすることもできる。例えば、管面中央部冷却ファン３１を管面中央部１５の上方に設け、発光管収納部３０の内部を発光管のうち管面端部１４と管面中央部１５とが別れるように仕切り部材で仕切る構成とすることが考えられる。この場合も、水銀灯１１の点灯開始後に水銀は速やかに口金部１８から発光管１３の中央部に移動することから、本発明の効果を得ることができる。【０１００】
本実施形態においては、口金部を冷却する冷却装置として冷却ファンを用い、口金部の温度制御を行うようにしたが、口金部の温度を制御する手段は、これに限定されるものではない。【０１０１】
例えば、複数の熱電冷却素子であるペルチェ素子を電気的に直列に接続したペルチェモジュールを、熱伝導率の高い材料からなり二つの口金部の周囲を覆う熱伝導部を介して設けるようにしてもよい。ペルチェモジュールは、電源部よりペルチェ素子に直流電流を流すことにより、ペルチェ素子の一面から吸熱し他面から放熱するようになっている。口金部を冷却し温度を制御する手段としてペルチェモジュールを設ける場合には、ペルチェ素子に流す電流の向きを変えることにより、冷却面と加熱面とを切変えることができるようにするとよい。【０１０２】
さらに、ペルチェモジュールの熱伝導部と当接する熱伝導部当接面と対向する面に、熱伝導部当接面が冷却面となっている際に、冷却面から吸収され伝達された熱を放熱するヒートシンクを設け、ヒートシンクの上部には、ヒートシンクから放射された熱を発散させる冷却ファンを設けるようにするとよい。【０１０３】
水銀灯点灯開始前においては、発光管の管面温度より口金部の温度が低温となるように、ペルチェモジュールの熱伝導部当接面が冷却面となる方向でペルチェ素子に直流電流を流すように電源部を制御するとともに、冷却ファンを回転駆動させる。【０１０４】
そして、点灯後においては、口金部の温度が、出力が安定しかつ発光効率が良好となる温度となるように、適宜ペルチェ素子に流す直流電流の向きを変えるように電源部を制御するとよい。すなわち、口金部の温度が口金部に付加する電力等に応じて定まる紫外線の発光効率が最大となる温度に対して５０〜５５℃よりも高い場合には、ペルチェモジュールの熱伝導部当接面が冷却面となる方向でペルチェ素子に直流電流を流すように電源部を制御するとともに、冷却ファンを回転駆動させる。また、口金部の温度が口金部に付加する電力等に応じて定まる紫外線の発光効率が最大となる温度に対して５０〜５５℃よりも低い場合には、ペルチェモジュールの熱伝導部当接面が加熱面となる方向でペルチェ素子に直流電流を流すように電源部を制御するとよい。【０１０５】
また、光源の全ての口金部に接するウォータージャケットや水冷タンクを設け、耐えず冷却水を供給する方法のように水冷式の冷却装置を設けても良い。その場合、温度調節は冷却水の供給流量を制御することで行えばよい。
【図３】
2006080442.tif 000002
【図１】
2006080442.tif 000003
【図２】
2006080442.tif 000004
【図４】
2006080442.tif 000005
【図５】
2006080442.tif 000006
【図６】
2006080442.tif 000007
【図７】
2006080442.tif 000008
【図８】
2006080442.tif 000009
【国際調査報告】
2006080442.tif 000010
2006080442.tif 000011